(57)【要約】      （修正有）【課題】テレビやオーディオプレーヤ等の１台のオーディオ機器の音声を電波が届く範囲内の場所において、当該オーディオ機器から離れた場所で任意の音量で聴取できるようにしたデジタルワイヤレス受信機を提供する。【解決手段】オーディオ入力に入力された信号をデジタル化して搬送波を使って送信する機能を有する送信機２と、送信機２から送られてきた信号を受信してアナログ信号に変換し、音量調節機構を介してオーディオ出力端子に出力する機能を有する受信機３とにより構成する。送信機２をテレビ又はオーディオプレーヤ等のオーディオ機能具備機器１にＡＶケーブルもしくはオーディオケーブル２４を接続した送信機１で電波到達範囲内において信号を受信した受信機３にイヤホン１４もしくはヘッドホン１５又はスピーカ１６のいずれかを選択して接続し、当該受信機３の電気信号を音声変換して聴取できるように構成した構成する。【選択図】図１
0003173995.tif 000002
【実用新案登録請求の範囲】
【請求項１】
オーディオ入力に入力された信号をデジタル化して搬送波を使って送信する機能を有する送信機(2)と、送信機(2)から送られてきた信号を受信してアナログ信号に変換し、ボリュームを介してオーディオ出力端子に出力する機能を有する受信機(3)とからなり、送信機(2)をテレビ又はオーディオプレーヤ等のオーディオ機能具備機器(1)にＡＶケーブルもしくはオーディオケーブル(24)を接続した送信機(1)で電波到達範囲内において信号を受信した受信機(3)にイヤホン(14)もしくはヘッドホン(15)又はスピーカ(16)のいずれかを選択して接続し、当該受信機(3)の電気信号を音声変換して聴取できるように構成したことを特徴とするデジタルワイヤレス送受信機。
【請求項２】
送信機(2)は、2.4GHz又は5.0GHzで好ましくは2.4GHzの搬送波を使って受信機(3)に送信する機能を有し、携帯可能な本体の平面部に電源スイッチ(13)、背面にＤＣソケット(5)、テレビ(1′)又はオーディオプレーヤ(1″)のオーディオ機能具備機器(1)のケーブル(24)、オーディオ接続端子(6)、ペアリング機能作動キー(9)及び電源オン・オフ兼用のペアリング機能作動確認ランプ(20)がそれぞれ設けられ、受信機(3)は、携帯式であり、本体の側面にオーディオ端子が設けられ、底部に乾電池(B)の収容部(11)を有し、その側面にＡＣアダプタ(12)の使用も可能なＤＣソケット(21)が設けられ、また当該側面に電源スイッチ(13)、イヤホンもしくはヘッドホン又はスピーカ用ケーブルの接続端子(17)、音量調節ダイヤル(18)、ペアリング機能作動キー(19)、ペアリング機能作動確認ランプ(20)を設けた請求項１記載のデジタルワイヤレス送受信機。
【請求項３】
受信機(3)で受信する送信機(2)から発信される識別ＩＤコードを登録するペアリング機能を有する作動キー(9)・(19)及び作動確認ランプ(10)・(20)を送信機(2)と受信機(3)に設けた請求項１又は請求項２記載のデジタルワイヤレス送受信機。
【考案の詳細な説明】
【技術分野】
【０００１】
本考案は、デジタルワイヤレス送受信機に関するもので、テレビの音声やオーディオプレーヤからの再生音声を電波の到達範囲の場所において、当該電波を受信する受信機で音声に変換してイヤホンもしくはヘッドホン又はスピーカを任意に選択して仕切パネルその他の多少の障害物があっても、音声発生装置と変わらない音質の音声を聴取できるようにしたものである。
【背景技術】
【０００２】
一般に家中において、テレビやステレオの音声を大音量で聞くには、１人の場合や好きな者同士の場合であれば問題がなく、また、隣家に騒音として聞こえないような状況であれば特段の支障がない。
【０００３】
ところが、例えば家の中で１台のテレビの音楽番組を見ている者が、音量を下げて視聴したい者と、大音量で聞きたい者が同居している場合にその条件を叶えることは難しい。
【０００４】
この場合、隣接する部屋にもう１台のテレビがあれば、そこで大音量で視聴することが可能であるが、その大音量が隣接の部屋に響いて騒音になる。
【０００５】
また、一つの部屋で耳が遠い人と健常者が１台のテレビやオーディオプレーヤから音声を聴く場合、健常者は普通の音量でよいが、耳の遠い人にとっては聴き取りにくいことになる。
【先行技術文献】
【特許文献】
【０００６】
【特許文献１】特開２００３−３０４４１２号公報
【特許文献２】特開２００３−２５９４８１号公報
【考案の概要】
【考案が解決しようとする課題】
【０００７】
上記の特許文献１にあっては、テレビ又はオーディオプレーヤ等の音声発生装置からの音声を聴く場合において、振幅時データが2.4GHz帯を使って音声を送るという部分だけは共通し、また、特許文献２にあっては、受信する機器を登録する点は共通するが、それ以外の構成で本考案と共通するところがない。
【０００８】
すなわち、特に特許文献２において、第１に、送信機にＣＤなどのソースを有しているが、本考案には有していない。第２に、外からの入力はデジタル及びアナログ入力があるが、本考案はアナログ入力のみである。第３に、受信機側から送信機を操作することができるが本考案では操作できない。第４に、音量情報等のメモリを有しているが本考案には有していない。第５に、受信機同士の相互認証ができるが本考案では認証できない。第６に複数の送信機で使用できるが本考案ではできない。第７に、他の送信機のデータを受信機から送る方式であり、複数の送信機とペアリングすることが可能であるが、本考案では、他の送信機のデータを受信機からは送らないし、複数の送信機とはペアリングできないようにしてある。
【０００９】
そのため、特許文献１及び２では、次のような特長が得られない。テレビ、オーディオプレーヤ等がある部屋で、通常のスピーカから小音量で音楽番組を視聴したり、オーケストラ音楽を聴取する人がいて、同時にその部屋から電波が届く離れた場所において、同じテレビやオーディオプレーヤからの音声を１人又は複数人が大音量で楽しむということができないのである。
【００１０】
また、テレビやオーディオプレーヤもしくは画面のあるゲーム機がある部屋からの音声が他の部屋に漏れて迷惑が掛からないようにするために、当該テレビ等の音声出力端子からの音声信号を送信機で受け、これを手持ち式受信機に電波を送ってイヤホンで聴くことによって、大音量で聴取しているにも関わらず、テレビがある部屋はもちろんのこと、他の部屋には音声が漏れないことがないようすることは、特許文献１及び２には期待できない。
【課題を解決するための手段】
【００１１】
そこで、本考案は従来の課題を解決するために提供するものである。本考案の第１は、デジタルワイヤレス送受信機において、送信機を、携帯可能な本体の平面部に電源スイッチ、背面にＤＣソケット、テレビ又はオーディオプレーヤのオーディオ機能具備機器のケーブル、オーディオ接続端子、ペアリング機能作動キー及び電源オン・オフ兼用のペアリング機能確認ランプがそれぞれ設けられ、受信機は手持ち式であり、本体の側面にオーディオ端子が設けられ、底部に乾電池の収容部を有し、その側面にＡＣアダプタの使用も可能なＤＣソケットが設けられ、また当該側面に電源スイッチ、イヤホンもしくはヘッドホン又はスピーカ用ケーブルの接続端子、音量調節ダイヤル、ペアリング機能作動キー、ペアリング機能作動確認ランプを設けたものである。
【００１２】
本考案の第２は、第１の考案に係るデジタルワイヤレス送受信機において、送信機は、2.4GHz又は5.0GHzで好ましくは2.4GHzの搬送波を使って受信機に送信する機能を有し、携帯可能な本体の平面部に電源スイッチ、背面にＤＣソケット、テレビ又はオーディオプレーヤのオーディオ機能具備機器のケーブル、オーディオ接続端子、ペアリング機能作動キー及び電源オン・オフ兼用のペアリング機能確認ランプがそれぞれ設けられ、受信機は手持ち式であり、本体の側面にオーディオ端子が設けられ、底部に乾電池の収容部を有し、その側面にＡＣアダプタの使用も可能なＤＣソケットが設けられ、また当該側面に電源スイッチ、イヤホンもしくはヘッドホン又はスピーカ用ケーブルの接続端子、音量調節ダイヤル、ペアリング機能作動キー、ペアリング機能作動確認ランプを設けたものである。
【００１３】
本考案の第３は、第１の考案又は第２の考案に係るデジタルワイヤレス送受信機において、受信機で受信する送信機から発信される識別ＩＤコードを登録するペアリング機能を有する作動キー及び作動確認ランプを送信機と受信機に設けたものである。
【考案の効果】
【００１４】
本考案は上記の構成であるから、次の効果がある。すなわち、テレビやオーディオプレーヤ等の音声発生装置からの入力した信号を送信機でデジタル化した搬送波を使って電波が届く２０〜３０ｍの範囲であれば、室内のドアーや比較的簡素な壁等の障害物が存在していても受信機のイヤホンもしくはヘッドホン又はスピーカのいずれか一つを任意に選択してテレビやオーディオプレーやの音声を自由な音量で聴取することができる。
【００１５】
そして、例えば2．4GHzの電波帯を使ったコードレス送受信機によって、テレビやオーディオプレーヤがある部屋においては、スピーカからの音量を小さくし、他方襖や壁もしくは天井等で仕切られた離れた２０〜３０ｍの範囲まで、音声出力端子側から送信機及び受信機を介して大音量で聴取できる。したがって、就寝者がいたり、深夜において、テレビの音楽番組やオーディオプレーヤでオーケストラ音楽を大音量で楽しみたい場合にテレビ等がある部屋から離れた場所に居ながらにして、また、歩きながらでも聴取できる
【００１６】
また、テレビを見たり、画面を有するゲーム機を使う部屋の音声が他の部屋に漏れると、迷惑が掛かるような場合は、本考案に係る受信機にイヤホンやヘッドホンで聴くことによって大音量でも聞こえる音声であっても他の部屋に聞こえることがない。しかも、この場合、受信機を持てば、部屋中を自由に移動することができる。なお、音量を大きくしてもよい場合は、ミニスピーカや普通のスピーカを受信機に接続して当該スピーカから聴取することができる。
【００１７】
さらに、耳の遠い高齢者であっても受信機にイヤホンやヘッドホンを接続することによって、例えばテレビから音声を大きい音量で楽々と聴き取ることができる。この場合、健常者はテレビのスピーカから通常の音声で聞くことができるから、同じ部屋で１台のテレビを一緒に楽しむことができる。
【００１８】
しかも、受信機を複数台（最大で１６台）揃えて同時聴取が可能になる。その増設の際には、増設する受信機のペアリング機能作動キーボタンを短時間（例えば３秒）作動することによって簡単に設定することができる。
【図面の簡単な説明】
【００１９】
【図１】本考案に係る視聴機器のシステム構成の概略図である。
【図２】送信機の背面図である。
【図３】送信器の平面図である。
【図４】受信器の側面図である。
【図５】受信機の平面図である。
【図６】受信機の底部に収納したカバーを外した状態の斜面図である。
【図７】送信機をテレビに接続する状態の背面図である。
【図８】受信機の側面にイヤホン、ヘッドホン、スピーカを選択的の接続する状態の側面図である。
【図９】ワイヤレス送信機の回路図である。
【図１０】ワイヤレス送信モジュール回路図である。
【図１１】ワイヤレス受信機の回路図である。
【図１２】ワイヤレス受信機の音声増幅回路図である。
【図１３】ワイヤレス受信モジュール回路図である。
【考案を実施するための形態】
【００２０】
本考案は上記の構成において、音声発生機器は、テレビもしくはオーディオプレーヤがあり、これらにいずれも音声出力端子を有している。
【００２１】
上記音声出力端子７にステレオケーブル２４の一端のプラグを挿入し、他端のプラグを送信機２のステレオミニジャック６に挿着する。
【００２２】
次に、受信機３には、その底部に設けてある蓋付きの電池収容部に乾電池を収容し、側面のオーディオ用ジャック１７にイヤホン１４のプラグを挿入する。
【００２３】
この状態で、送信機の電源及び受信機の電源をオンにすると、テレビから送信機に入力された信号をデジタル化して搬送波を使って送信し、当該送信機から送られてきた信号をテレビ及び送信機から離れた場所において、受信機で受信してアナログ信号に変換してイヤホンを介して聴取することができる。
【００２４】
次に、受信機３は、側面に電源スイッチ１３、オーディオ出力端子１７、音量調節ダイヤル１８、ペアリング機能作動キー１９、電源及びペアリング機能確認ランプ２０、ＤＣソケット２１等が具備されている。
【００２５】
上記の受信機３のオーディオ出力端子１７には、イヤホン１４もしくはヘッドホン１５又はスピーカ１６のいずれかを選択してそのジャックを挿入し、また、ＤＣソケット２１にはＡＣアダプタ１２のプラグをジャックに挿入するものとする。
【実施例】
【００２６】
図において、１はテレビ１′又はオーディオ機器１″等のオーディオ機能具備機器であり、それぞれにオーディオ出力端子７が具備されている。２はオーディオ機能具備機器１のオーディオ出力を受信機に送るための送信機、３は送信機２からの音声電波（信号）を2.4GHzの電波帯を使って受信するための片手で持てる手持ち式の受信機である。
【００２７】
上記の送信機２は、片手で持てる程の比較的小型で横断面が略かまぼこ型を成し、その弧状平面に電源スイッチ４、背面にＤＣソケット５、ステレオミニジャック６、ペアリング機能作動キーボタン９、電源及びペアリング機能作動確認ランプ１０等が設けられている。
【００２８】
上記の送信機２には、ステレオミニジャック６から入力されたアナログ信号をデジタル化して、さらにデジタル変調をかけて搬送波（2.4GHz又は5.0GHz、好ましくは2.4GHz）を使って受信機に送信する機能を有している。なお、当該送信機２における周波数2.4GHzの周波数帯は、2.406GHzから2.472GHzまでの使用が可能である。
【００２９】
そして、受信機３は、携帯式であり、乾電池１１を内蔵する方式であるが、ＡＣアダプタ１２の使用も可能になっている。また受信機３の側面に電源スイッチ１３、イヤホン１４もしくはヘッドホン１５又はミニもしくは普通のスピーカ１６のケーブル挿入用のオーディオ端子１７、ペアリング機能作動キー１９、ペアリング機能確認ランプ２０、音量調節ダイヤル２１が設けられている。２２は受信機３に設けたクリップであり、衣服のポケット等に挟着できるようになっている２３は受信機３に設けたストラップを示す。
【００３０】
上記の受信機３は、送信機２から送られてきた搬送波の信号を受信してアナログ変換して、音量調節機構を介してイヤホン１４へ音声出力する機能を有している。
【００３１】
「具体的な使用例」
「送信機２の準備」
（１）送信機２のステレオミニジャック５にＡＶケーブル２４の一端のピンププラグをテレビ１′の音声出力端子７に接続し、他端側のプラグを送信機２ステレオミニジャック５に接続する。
（２）ＡＣアダプタ８のプラグを送信機２のＤＣソケット５に接続し、当該ＡＣアダプタ８を部屋のコンセントに挿入する。
【００３２】
「受信機３の準備」
「乾電池を使用する場合」
（１）受信機３の底部側の乾電池カバー２２を外して乾電池１１を収納する。
（２）乾電池カバー２２で乾電池１１に蓋をする。
【００３３】
「ＡＣアダプタを使用する場合」
（１）ＡＣアダプタ１２のプラグを受信機３のＤＣソケットに接続し、ＡＣアダプタ１２を部屋のコンセントに挿入する。
（２）ＡＣアダプタ１２を使用するときは、乾電池からの電力入力をカットして、ＡＣアダプタからの電力入力に切り替わる。
【００３４】
「テレビの音声を聴く」
（１）送信機２の電源スイッチ４を押してオンにする。
（２）受信機３の電源スイッチ１３をスライドしてオンにする。
（３）受信機３のオーディオ端子１７に付属のイヤホン１４を接続する。
（４）この状態でセッティングが終了しイヤホン１４を通じてテレビの音声をボリューム調整して聴くことができる。
（５）なお、音量を大きくしてもよい場合は、ミニスピーカや普通のスピーカ１６を受信機３に接続して当該スピーカから聴取することができる。
【００３５】
「受信機３の増設」
（１）受信機３を増やすことで最大１６台まで同時に聴取が可能になる。
（２）受信機３にイヤホン１４を接続して使用できる状態にして、電源スイッチ１３をオンにする。
（３）送信機２のペアリング機能作動キーボタンを３秒間押し、ペアリング機能作動を開始させる。これによって、受信機３のペアリング機能作動確認ランプ１０が点滅に変わる。
（４）イヤホン１４から機能開始音が鳴り、ペアリングが開始し、ペアリングが終了すると、送信機２及び受信機３のそれぞれのペアリング機能作動確認ランプ１０が点灯する。
【００３６】
上記のセット完了により、テレビ１′の音声が出力端子７から送信機２に入り、当該送信機から2.4GHzの電波帯によって受信機３で受け、当該受信機のイヤホン１４を通して、最大３０ｍ程度離れた場所においてもテレビ１′の音声そのままの音質で聴取できる。
【産業上の利用可能性】
【００３７】
本考案に係る実施品は、電波法に基づく小電力データ通信システムの無線設備として受けられるものであり、当該実施品を無線局の免許を必要としないで使用することができる。
したがって、深夜に気に入ったアクション映画、家族の就寝後にオーケストラ音楽を、１階の居間におけるテレビの音楽番組やオーディオプレーヤのオーケストラ音楽を２階の部屋で大音量で聴取したい場合などにおいて特に有効である。
また、一つの部屋に居て遠い人と健常者が１台のテレビやオーディオプレーヤから音声を聴く場合、健常者は普通の音量で、耳の遠い人は音声出力端子から送信機および受信機を介し、イヤホンで音量を上げて聴くことができる。
さらに、部屋から離れたキッチンでの炊事作業をしながらテレビ音声がはっきりと聴くことができる。また、テレビ視聴中に用足しにたつ場合でも、受信機を持ったまま移動することでテレビの音声を途切れることなく聴取できる。
【符号の説明】
【００３８】
１…テレビ１′又はオーディオ１″等のオーディオ機能具備機器
２…送信機
３…受信機
４…電源スイッチ
５…ＤＣソケット
６…ステレオミニジャック
７…音声出力端子
８…ＡＣアダプタ
９…ペアリング機能作動キー
１０…ペアリング機能作動確認ランプ
１１…乾電池
１２…ＡＣアダプタ
１３…電源スイッチ
１４…イヤホン
１５…ヘッドホン
１６…スピーカ
１７…オーディオ端子
１８…音量調節ダイヤル
１９…ペアリング機能作動キー
２０…ペアリング機能確認ランプ
２１…ＤＣソケット
２２…挟持用クリップ
２３…ストラップ
２４…ステレオケーブル
２５…クリップ
２６…ストラップ
【図１】
0003173995.tif 000003
【図２】
0003173995.tif 000004
【図３】
0003173995.tif 000005
【図４】
0003173995.tif 000006
【図５】
0003173995.tif 000007
【図６】
0003173995.tif 000008
【図７】
0003173995.tif 000009
【図８】
0003173995.tif 000010
【図９】
0003173995.tif 000011
【図１０】
0003173995.tif 000012
【図１１】
0003173995.tif 000013
【図１２】
0003173995.tif 000014
【図１３】
0003173995.tif 000015